(57)【要約】【課題】清拭シートが傾いたり脱落したりせずに、床面の清拭を良好に行うことができる掃除機用ノズル装置を提供すること。【解決手段】掃除機本体２に連結されるノズル８と、このノズル８の下面に着脱可能に装着される清拭プレート９とを有し、前記ノズル８に結合部２９を設け、前記清拭プレート９に結合部４２を設け、前記結合部２９と結合部４２とを互いに着脱可能に結合させると共に、前記清拭プレート９と被清掃面としての床面Ｆとの間に清拭シート３５が着脱可能に保持される掃除機用ノズル装置３であって、前記結合部４２にマグネット部材４０を設け、前記結合部２９に磁性体としての鋼板２８を設けたことで、前記清拭プレート９を前記ノズル８に装着せずに床面Ｆの掃除を行っても、ステープルやクリップ等が前記マグネット部材４０と鋼板２８の間に入り込まず、前記清拭プレート９を正しい姿勢で取り付けることができる。【選択図】図４
2013248194.tif 000002
【特許請求の範囲】
【請求項１】
掃除機本体に連結されるノズルと、このノズルの下面に着脱可能に装着される清拭プレートとを有し、前記清拭プレートと前記ノズルに、互いに着脱可能に結合させる結合部をそれぞれ設けると共に、前記清拭プレートと被清掃面との間に清拭シートが着脱可能に保持される掃除機用ノズル装置において、
前記清拭プレートの結合部にマグネット部材を設け、前記ノズルの結合部に、前記マグネット部材に磁着される磁性体を設けたことを特徴とする掃除機用ノズル装置。
【請求項２】
前記清拭プレートのみを前記ノズルに装着した状態において、前記清拭プレートの下端が、前記ノズルの前方床面接地点と後方床面接地点とを接続した平面よりも上方に位置することを特徴とする請求項１記載の掃除機用ノズル装置。
【請求項３】
前記ノズルの結合部を凹状に形成し、この結合部の上部に前記磁性体を設けると共に、前記清拭プレートの結合部を凸状に形成し、この結合部の上部に前記マグネット部材を設けたことを特徴とする請求項１又は２に記載の掃除機用ノズル装置。
【請求項４】
前記清拭プレートの凸状の結合部が、前記ノズルの凹状の結合部を閉塞するように構成したことを特徴とする請求項３記載の掃除機用ノズル装置。
【発明の詳細な説明】
【技術分野】
【０００１】
本発明は、掃除機用ノズル装置に関するものであり、特に、床面の清拭に適した掃除機用ノズル装置に関するものである。
【背景技術】
【０００２】
従来、この種の掃除機用ノズル装置としては、電気掃除機の吸入ホース（本願発明の接続管に相当する）に連結される吸塵ユニット（本願発明のノズルに相当する）と、前記吸塵ユニットの下面開口部に吸塵用隙間を確保して着脱自在に装着される清拭ユニットから成り、この清拭ユニットを硬質プレート（本願発明の清拭プレートに相当する）と前記硬質プレートの下面に装着された清拭シートとにより構成し、前記清拭ユニットと吸塵ユニットに互いに着脱自在に係合する係止部を形成すると共に、前記吸塵ユニットの係止部にマグネットを備え、前記清拭ユニットの係止部に磁性体を備えたものが知られている。（例えば、特許文献１参照。）。そして、このような掃除機用ノズル装置は、前記磁性体を前記マグネットに磁着させることで、前記清拭ユニットを前記吸塵ユニットに対し容易に着脱させることができる。
【先行技術文献】
【特許文献】
【０００３】
【特許文献１】実公昭６３−１９００５号公報
【発明の概要】
【発明が解決しようとする課題】
【０００４】
しかしながら、このような掃除機用ノズル装置は、前記マグネットが前記吸塵ユニットの下面開口部付近に設けられているため、前記清拭ユニットを取り外した状態で床面の掃除をすると、床上に落ちたステープルやクリップ等が前記マグネットに付着してしまう虞があった。そして、このように前記マグネットにステープルやクリップ等が磁着した状態で、前記清拭ユニットを前記吸塵ユニットに取り付けると、前記清拭ユニットが傾いた状態で取り付けられたり、脱落したりして、掃除を正常に行うことができないという問題があった。更に、前記清拭ユニットを用いない場合、この清拭ユニットを前記吸塵ユニットから取り外しておくことになるが、取り外された前記清拭ユニットを紛失してしまう虞もあった。
【０００５】
本発明は以上の問題点を解決し、床面の清拭を正常に行うことができる掃除機用ノズル装置を提供することを目的とする。また、本発明は、清拭プレートを紛失させにくい掃除機用ノズル装置を提供することを目的とする。
【課題を解決するための手段】
【０００６】
本発明の請求項１に記載の掃除機用ノズル装置は、掃除機本体に連結されるノズルと、このノズルの下面に着脱可能に装着される清拭プレートとを有し、前記清拭プレートと前記ノズルに、互いに着脱可能に結合させる結合部をそれぞれ設けると共に、前記清拭プレートと被清掃面との間に清拭シートが着脱可能に保持される掃除機用ノズル装置において、前記清拭プレートの結合部にマグネット部材を設け、前記ノズルの結合部に、前記マグネット部材に磁着される磁性体を設けたものである。
【０００７】
また、本発明の請求項２に記載の掃除機用ノズル装置は、請求項１において、前記清拭プレートのみを前記ノズルに装着した状態において、前記清拭プレートの下端が、前記ノズルの前方床面接地点と後方床面接地点とを接続した平面よりも上方に位置するものである。
【０００８】
また、本発明の請求項３に記載の掃除機用ノズル装置は、請求項１又は２において、前記ノズルの結合部を凹状に形成し、この結合部の上部に前記磁性体を設けると共に、前記清拭プレートの結合部を凸状に形成し、この結合部の上部に前記マグネット部材を設けたものである。
【０００９】
更に、本発明の請求項４に記載の掃除機用ノズル装置は、請求項３において、前記清拭プレートの凸状の結合部が、前記ノズルの凹状の結合部を閉塞するように構成したものである。
【発明の効果】
【００１０】
本発明の請求項１に記載の掃除機用ノズル装置は、以上のように構成することにより、前記清拭プレートを前記ノズルに装着していない状態で床面の掃除を行っても、ステープルやクリップ等が前記ノズルの結合部に磁着しない。このため、前記清拭プレートを前記ノズルに再び取り付けた際に、前記マグネット部材と磁性体の間にステープルやクリップが入り込まないので、前記清拭プレートが正しい姿勢で取り付けられると共に、脱落を防止することができる。
【００１１】
なお、前記清拭プレートのみを前記ノズルに装着した状態において、前記清拭プレートの下端が、前記ノズルの前方床面接地点と後方床面接地点とを接続した平面よりも上方に位置するようにすれば、前記清拭プレートが被清掃面である床面に接することがない。従って、吸引掃除のみを行い、拭き掃除をしない場合であっても、前記清拭プレートを前記ノズルに装着したままにしておくことが可能となるため、前記清拭プレートの紛失の虞を減ずることができる。
【００１２】
また、前記ノズルの結合部を凹状に形成し、この結合部の上部に前記磁性体を設けると共に、前記清拭プレートの結合部を凸状に形成し、この結合部の上部に前記マグネット部材を設けるようにすれば、仮に、前記磁性体が前記マグネット部材によって帯磁したとしても、前記磁性体から床までの距離を大きくすることができるので、ステープルやクリップ等を前記磁性体に磁着させないようにすることができる。
【００１３】
更に、前記清拭プレートの凸状の結合部が、前記ノズルの凹状の結合部を閉塞するように構成すれば、凹状の前記結合部内に床上のステープルやクリップ等が入ることがないので、前記清拭プレートの着脱を繰り返しても、この清拭プレートを前記ノズルに対し正しい姿勢で且つ確実に装着することができる。
【図面の簡単な説明】
【００１４】
【図１】本発明の一実施形態を示す掃除機用ノズル装置を用いた電気掃除機全体の側面図である。
【図２】同、掃除機用ノズル装置の正面図である。
【図３】同、平面図である。
【図４】同、Ａ−Ａ断面図である。
【図５】同、図４において破線で囲んだ部分の拡大断面図である。
【図６】同、図５と同じ位置における清拭シートを装着した状態での拡大断面図である。
【図７】同、ノズルの正面図である。
【図８】同、ノズルの平面図である。
【図９】同、ノズルのＡ´−Ａ´断面図である。
【図１０】同、清拭プレートの説明図であり、（ａ）は平面図、（ｂ）はＢ−Ｂ断面図である。
【発明を実施するための形態】
【００１５】
以下、本発明の実施形態について、図１乃至図１０に基づいて説明する。なお、以下の説明において、図１、図４乃至図６及び図９の左側が前、右側が後である。また、図１、図４乃至図６及び図９における上下は、実際の上下となる。
【００１６】
１はスティック型の電気掃除機である。図１に示すように、この電気掃除機１は、掃除機本体２と、この掃除機本体２の下部に着脱可能に取り付けられるノズル装置３とを有して構成される。前記掃除機本体２は、吸引機構部４と、この吸引機構部４に対して着脱可能に取り付けられる塵埃分離手段５とを有して構成される。前記吸引機構部４は、略円筒形のケーシング４Ａの内部に電動送風機（図示せず）を有して構成される。また、前記塵埃分離手段５は、その下部に、前記ノズル装置３を接続するための接続受部６が設けられる。また、前記塵埃分離手段５は、サイクロン筒７を有する。そして、このサイクロン筒７は、前記接続受部６の上方に装着される。また、前記ノズル装置３は、ノズル８と、このノズル８の下部に対し着脱可能に装着される清拭プレート９を有して構成される。更に、前記吸引機構部４の前面、即ち前記掃除機本体２の上部前面には、前記電気掃除機１を保持するための、コ字型の第一のハンドル１０が設けられる。また、前記掃除機本体２の上端面の前側には、第二のハンドル１１が着脱可能に設けられる。
【００１７】
次に、前記ノズル８について詳述する。図２〜図９に示すように、前記ノズル８は、ノズル本体１２と、このノズル本体１２の後部に揺動可能に連結された接続管部１３とを有して構成される。また、前記ノズル本体１２のケーシング１４は、左右方向に長く形成された吸込口部１５と、前後方向に長く形成された通気部１６とを有して構成される。なお、前記通気部１６の内部には、通気路１７が設けられる。そして、前記ケーシング１４は、上部材１４Ａと下部材１４Ｂとを備える。また、前記上部材１４Ａの中央後部には、上向きの凸部１８が設けられる。そして、この凸部１８の後側の上面から後面にかけて、開口部１９が形成される。なお、この開口部１９は、前記上部材１４Ａと下部材１４Ｂによって構成される。そして、前記開口部１９には、前記接続管部１３が揺動可能に連結される。この前記接続管部１３は、挿入管部２０と、この挿入管部２０の下部に接続される基管部２１とを有して構成される。なお、前記接続管部２０は、前記接続受部６に着脱可能に挿入される。また、前記基管部２１は、前記開口部１９に揺動可能に接続される。そして、前記挿入管部２０と基管部２１は、互いに回動可能に接続される。そして、前記ノズル本体１２の前下部には、吸引口２２が左右方向に延びて形成される。また、この吸引口２２と前記開口部１９とを連通するように、前記通気路１７が設けられる。なお、この通気路１７は、前方の前記吸込口２２から後方の前記開口部１９に向けて、次第に高くなるように、傾斜して設けられる。更に、前記開口部１９には、前記基管部２１が連通する。また、前記ノズル本体１２の前下部の左右両側には、前輪２３が設けられ、前記ノズル本体１２の後下部の左右両側には、後輪２４が設けられる。更に、前記吸引口２２の後方には、軟質のブレード２５が設けられる。
【００１８】
また、図９に示すように、前記下部材１４Ｂには、壁部２６により画定される凹部２７が設けられる。なお、前記壁部２６は、前壁部２６Ａと、後壁部２６Ｂと、左右一対の側壁部２６Ｃとを有する。そして、前記凹部２７は、上方に陥没して下方が開口した形状に形成される。更に、前記凹部２７の奥部、即ち上部には、磁性体としての鋼板２８が設けられる。なお、この鋼板２８は、前記ノズル本体１２に対して、下向きに露出する。そして、前記凹部２７と鋼板２８によって、結合部２９が構成される。また、図８に示すように、前記ノズル本体１２の下部材１４Ｂには、前記吸込口部１５の側部近傍の後部と、前記通気部１６の後部近傍の側部とを接続するように、梁状の補強部３０が左右一対設けられる。なお、これらの補強部３０は、これらの補強部３０同士の左右方向の距離が、前端部よりも後端部において狭くなるように、傾斜させて設けられる。更に、前記補強部３０の中間部は、それぞれ梁状の第二補強部３１によって、前記通気部１６の側部に接続される。なお、前記補強部３０の前部と、前記第二補強部３１と、前記吸込口部１５と、前記通気部１６とで囲まれるように、第一開口部３２が左右一対形成される。また、前記補強部３０の後部と、前記第二補強部３１と、前記通気部１６とで囲まれるように、第二開口部３３が左右一対形成される。
【００１９】
前記清拭プレート９は、平面視で、横長の略長方形状に形成される。この清拭プレート９は、基体３６と、この基体３６の周囲及び下方に装着される軟質部材３７とで構成される。なお、前記軟質部材３７は、エラストマー等の、ゴム弾性を有し且つ滑りにくい材質により形成される。また、前記軟質部材３７の下表面全体には、多数の突起３８が設けられる。また、前記清拭プレート９の上面中央部には、上向きの凸部３９が設けられる。そして、この凸部３９には、マグネット部材４０が設けられる。このマグネット部材４０は、前記凸部３９の内部に設けられた永久磁石４０Ａと、この永久磁石４０Ａに接すると共に前記凸部３９の上端から突出する導磁部４０Ｂとを有して構成される。なお、前記凸部３９は、前記ノズル８に設けられた前記凹部２７の形状に対応するように形成される。また、前記凸部３９の上面には貫通孔４１が形成され、この貫通孔４１を通じて、前記マグネット部材４０の導磁部４０Ｂの上端部が突出する。そして、前記凸部３９とマグネット部材４０とで、結合部４２が構成される。また、前記清拭プレート９の上面には、前記ノズル８に設けられた一対の第一開口部３２に対応して、一対の第一係合凸部４３が設けられる。更に、前記清拭プレート９の上面には、前記ノズル８に設けられた一対の前記第二開口部３３に対応して、一対の第二係合凸部４４が設けられる。なお、本実施形態において、前記第二係合凸部４４の高さは、前記第一係合凸部４３の高さよりも高く、また前記凸部３９の高さよりも低く形成される。また、前記清拭プレート９の上面の左右には、被清掃面としての床面Ｆを清掃するための清拭シート３５を仮止めするための仮止め手段４５が、それぞれ前後一対設けられる。なお、本実施形態において、これらの仮止め手段４４は、面ファスナーのフック面のように、先端が鈎状に曲がった多数の突起を有する。
【００２０】
次に、本実施形態の作用について説明する。まず、前記清拭シート３５を用いて、床面Ｆを拭き掃除する場合について詳述する。前記清拭シート３５を用いて床面Ｆを拭き掃除する場合、使用者は、前記ノズル８から前記清拭プレート９を取り外す。この際、前記清拭プレート９は、前記マグネット部材４０が前記鋼板２８を磁着することで、前記ノズル８に取り付けられているだけなので、前記永久磁石４０Ａの磁気による吸着力以上の力で下方に引っ張ることで、前記ノズル８から容易に取り外される。そして、前記清拭プレート９を前記清拭シート３５に載せ、この清拭シート３５の前部及び後部をそれぞれ折り曲げ、前記清拭プレート９の上方に重ねる。更に、前記清拭シート３５の左右の前部及び後部を、それぞれ前記仮止め手段４５に押し当てる。一般的によく知られているように、前記清拭シート３５は、多数の細かい繊維を絡めた不織布によって構成される。従って、前記清拭シート３５の細かい繊維は、前記仮止め手段４５の鈎状の突起に引っ掛かる。これによって、前記清拭シート３５は、仮止めされる。なお、前記仮止め手段４５の鈎状突起は、それだけで保持できる程の強度で前記清拭シート３５を保持することができない。
【００２１】
そして、前記凹部２７に前記凸部３９を挿入し、前記結合部４２のマグネット部材４０を前記結合部２９の鋼板２８に磁着させることで、前記清拭シート３５が仮止めされた前記清拭プレート９を、再び前記ノズル８に取り付ける。この際、前記清拭プレート９の第一係合凸部４３は、前記ノズル８の第一開口部３２内に挿入される。一方、前記清拭プレート９の第二係合凸部４４は、前記ノズル８の第二開口部３３内に挿入される。このように、前記第一係合凸部４３及び第二係合凸部４４が、第一開口部３２及び第二開口部３３に挿入されることで、前記清拭プレート９が前記ノズル８に対し確実に位置決めされる。このため、前記清拭プレート９は、前記ノズル８に対し水平方向のガタつきが抑えられる。そして、前記清拭シート３５は、前記凹部２７と前記凸部３９との間、前記第一開口部３２と前記第一係合凸部４３との間、前記第二開口部３３と前記第二係合凸部４４との間、及び前記導磁部４０Ｂと前記鋼板２８との間に挟持される。このように、前記清拭シート３５が前記ノズル８と清拭プレート９とで挟持されることで、前記清拭シート３５は前記ノズル装置３に取り付けられる。なお、前記清拭プレート９は、前記吸引口２２よりも後方に、この吸引口２２とほぼ平行となるように、前記ノズル８に取り付けられる。従って、前記清拭プレート９が前記吸引口２２を閉塞することはない。
【００２２】
なお、前述した通り、前記軟質部材３７は、ゴム弾性を有し且つ滑りにくい材質からなると共に、この軟質部材３７の下表面全体に、多数の突起３８が設けられる。従って、前記清拭シート３５は、前記床面Ｆに押し付けられた際に、前記軟質部材３７が弾性変形することにより、適切な強さで前記床面Ｆに当接することができる。また、前記軟質部材３７の下表面全体に設けられた複数の突起３８によって、前記清拭シート３５が前記清拭プレート９に対し水平方向に相対的に移動することが抑制される。従って、拭き掃除を続けても、前記清拭シート３５が水平方向に引っ張られて弛むことが抑制される。
【００２３】
このように、前記清拭プレート９が取り付けられた前記ノズル装置３を、前記掃除機本体２に取り付ける。この状態で、使用者は、前記第一のハンドル１０又は第二のハンドル１１を把持し、前記清拭シート３５を床面Ｆに当接させ、この床面Ｆに沿って移動させる。この際、床面Ｆ上の塵埃は、前記清拭シート３５に絡め取られて、床面Ｆから取り除かれる。このようにして、床面Ｆは前記清拭シート３５によって、拭き掃除される。なお、前述した通り、前記吸引口２２は、前記清拭プレート９によって閉塞されない。このため、前記ノズル装置３が装着された前記電気掃除機１は、前記清拭シート３５によって床面Ｆを拭きながら、同時に、前記吸引口２２から床面Ｆ上の塵埃を吸引することが可能である。
【００２４】
なお、前記ノズル８の結合部２９を構成する凹部２７は、前記清拭プレート９の結合部４２を構成する凸部３９及び前記清拭シート３５によって閉塞される。また、前記マグネット部材４０に磁着される前記鋼板２８は、前記ノズル８の結合部２９を構成する前記凹部２７の奥部、即ち前記凹部２７の上部に位置する。従って、前記マグネット部材４０に前記鋼板２８が磁着され、この鋼板２８が床面Ｆ上のステープルやクリップ等を磁着可能な状態になったとしても、これらが前記鋼板２８に至ることができない。また、仮に前記ノズル８の凹部２７と前記清拭プレート９の凸部３９又は清拭シート３５との間に隙間があっても、ステープルやクリップ等を磁着可能な状態となった前記鋼板２８が、前記床面Ｆから十分離れて位置するので、ステープルやクリップ等が前記鋼板２８に磁着しないようにすることができる。また、仮に、前記鋼板２８にステープルやクリップ等が磁着してしまっても、前記清拭プレート９を前記ノズル８から取り外せば、前記鋼板２８がステープルやクリップ等を磁着させ続けることができなくなる。更に、仮に前記鋼板２８が前記永久磁石４０Ａによって帯磁しても、前記鋼板２８の磁力はごく弱いものでしかないので、前記鋼板２８に磁着したステープルやクリップ等を容易に除去することができる。なお、前記鋼板２８よりも、前記マグネット部材４０の導磁部４０Ｂの方に、ステープルやクリップ等が磁着される可能性の方が高い。しかしながら、前記導磁部４０Ｂを前記清拭シート３５によって覆っておけば、この清拭シート３５を取り外すことで、ステープルやクリップ等を前記導磁部４０Ｂから容易に除去することができる。また、前記導磁部４０Ｂにステープルやクリップが直接磁着しても、これらを容易に視認して除去することができる。このように、前記ノズル８の結合部２９にステープルやクリップ等が磁着せず、前記清拭プレート９の結合部４２にステープルやクリップが磁着しても容易に除去できる。従って、前記ノズル８に前記清拭プレート９を取り付ける際に、ステープルやクリップ等によって前記清拭プレート９が前記ノズル８に対して傾いて取り付けられたり、磁着が不十分で前記清拭プレート９が脱落したりすることが阻止される。従って、前記清拭プレート９を前記ノズル８に対し正常に取り付け、前記清拭シート３５による拭き掃除を正常に行うことができる。
【００２５】
次に、床面Ｆ上の吸引掃除のみを行う場合について詳述する。前記電気掃除機１で床面Ｆの吸引掃除のみを行う場合、使用者には二通りの方法がある。第一の方法は、図７乃至図９に示すように、前記ノズル８に前記清拭プレート９を装着せず、前記電気掃除機１を使用することである。この場合、前記ノズル８は、磁気を帯びない前記鋼板２８を備えたものであるので、前記電気掃除機１は、前記ノズル８のみを装着して床面Ｆを吸引掃除しても、ステープルやクリップ等が前記ノズル８に磁着されないようにすることができる。なお、前記マグネット部材４０が前記鋼板２８と長時間接することで、この鋼板２８が弱く帯磁する可能性がある。しかしながら、この鋼板２８が帯びる磁気は、ごく弱いものでしかない。また、前述したように、前記鋼板２８は、床面Ｆよりも十分高く位置する。従って、床面Ｆ上のステープルやクリップ等は、前記ノズル８の鋼板８に磁着されない。
【００２６】
第二の方法は、図１乃至図５に示すように、前記清拭プレート９のみを前記ノズル８に装着して、前記電気掃除機１を使用することである。この場合、前記清拭プレート９の下端は、図５に示すように、前方床面接地点である前記前輪２３の接地点と、後方床面接地点である前記後輪２４の接地点とを接続した平面、即ち、被清掃面である床面Ｆよりも上方に位置する。即ち、前記清拭プレート９のみを前記ノズル８に装着して、前記電気掃除機１を使用しても、前記清拭プレート９は、床面Ｆと接触しない。従って、前記清拭プレート９を前記ノズル８に装着したまま、前記電気掃除機１を使用しても、前記吸引口２２から塵埃を吸引することが可能である。このため、使用者は、前記清拭プレート９を前記ノズル８から取り外して前記電気掃除機１を使用する必要がない。従って、前記清拭プレート９を常に前記ノズル８に取り付けたままにすることができるので、前記清拭プレート９を別途保管しておく必要がない。このため、前記清拭プレート９を紛失する虞を減ずることができる。
【００２７】
以上のように、本発明の掃除機用ノズル装置３は、掃除機本体２に連結されるノズル８と、このノズル８の下面に着脱可能に装着される清拭プレート９とを有し、前記ノズル８に結合部２９を設け、前記清拭プレート９に結合部４２を設け、前記結合部２９と結合部４２とを互いに着脱可能に結合させると共に、前記清拭プレート９と被清掃面としての床面Ｆとの間に清拭シート３５が着脱可能に保持されるものであって、前記清拭プレート９の結合部４２にマグネット部材４０を設け、前記ノズル８の結合部２９に磁性体としての鋼板２８を設けたことで、前記清拭プレート９を前記ノズル８に装着していない状態で床面Ｆの掃除を行っても、ステープルやクリップ等が前記ノズル８の結合部２９に磁着しないので、前記清拭プレート９を前記ノズル８に再び取り付けた際に、前記マグネット部材４０と鋼板２８の間にステープルやクリップ等が入り込まず、前記清拭プレート９が正しい姿勢で取り付けられると共に、脱落を防止することができるものである。
【００２８】
また、本発明の掃除機用ノズル装置３は、前記清拭プレート９のみを前記ノズル８に装着した状態において、前記清拭プレート９の下端が、前記ノズルの前方床面接地点である前輪２３の接地点と、後方床面接地点である後輪２４の接地点とを接続した平面、即ち床面Ｆよりも上方に位置するので、吸引掃除のみを行い、拭き掃除をしない場合であっても、前記清拭プレート９を前記ノズル８に装着したままにしておくことが可能となるため、前記清拭プレート９の紛失の虞を減ずることができるものである。
【００２９】
また、本発明の掃除機用ノズル装置３は、前記ノズル８の凹部２７の上部に前記鋼板２８を設けて前記結合部２９とすると共に、前記清拭プレート９の凸部３９の上部に前記マグネット部材４０を設けて前記結合部４２としたことで、仮に、前記鋼板２８が前記マグネット部材４０によって帯磁したとしても、前記鋼板２８から床面Ｆまでの距離を大きくすることができるので、ステープルやクリップ等を前記鋼板２８に磁着させないようにすることができるものである。
【００３０】
更に、本発明の掃除機用ノズル装置３は、前記清拭プレート９の結合部４２を構成する凸部３９が、前記ノズル８の結合部２９を構成する凹部２７を閉塞することで、前記結合部２９の凹部２７内に床面Ｆ上のステープルやクリップ等が入ることがないので、前記清拭プレート９の着脱を繰り返しても、この清拭プレート９を前記ノズル８に対し正しい姿勢で且つ確実に装着することができるものである。
【００３１】
なお、本発明は以上の実施形態に限定されるものではなく、発明の要旨の範囲内で種々の変形実施が可能である。例えば、上記実施形態において、前記掃除機本体は、スティック型であるが、横型であっても、手持ち型であっても良い。また、上記実施形態において、前記ノズルの前輪接地点を前方床面接地点、後輪接地点を後方床面接地点としたが、前方床面接地点及び後方床面接地点は、前輪接地点及び後輪接地点に限らない。
【符号の説明】
【００３２】
３  ノズル装置
８  ノズル
９  清拭プレート
２７  凹部
２８  鋼板（磁性体）
２９  結合部
３５  清拭シート
３９  突起
４０  マグネット部材
４２  結合部
Ｆ  床面（被清掃面）
【図１】
2013248194.tif 000003
【図２】
2013248194.tif 000004
【図３】
2013248194.tif 000005
【図４】
2013248194.tif 000006
【図５】
2013248194.tif 000007
【図６】
2013248194.tif 000008
【図７】
2013248194.tif 000009
【図８】
2013248194.tif 000010
【図９】
2013248194.tif 000011
【図１０】
2013248194.tif 000012